(57)【特許請求の範囲】
【請求項１】
開口枠と、
前記開口枠の見込み方向に沿って延在し、該開口枠を構成する下枠に当接する第１支持片と、前記第１支持片より下方に向けて延在し、前記開口枠の下方の外壁の室外側に位置する第２支持片とを有するブラケット部材と
を備えた建具において、
前記第２支持片と前記外壁との間に加熱されることにより膨張する熱膨張性部材を備えたことを特徴とする建具。
【請求項２】
前記熱膨張性部材は、前記第２支持片に設けられており、
前記ブラケット部材は、前記第１支持片が取付部材によって前記下枠に取り付けられ、前記第２支持片が前記熱膨張性部材を介して前記外壁に接していることを特徴とする請求項１に記載の建具。
【請求項３】
前記熱膨張性部材は、前記第２支持片の下方部と前記外壁との間に介在する第１熱膨張性部材の膨張率が前記第２支持片の上方部と前記外壁との間に介在する第２熱膨張性部材の膨張率よりも大きいことを特徴とする請求項１又は請求項２に記載の建具。
【請求項４】
前記ブラケット部材の第２支持片は、
前記熱膨張性部材の下端面に対向する下端ヒレ部と、
前記熱膨張性部材における前記下枠の長手方向に沿った両端面に対向する両端ヒレ部と
を有していることを特徴とする請求項１〜３のいずれか１つに記載の建具。
【発明の詳細な説明】
【技術分野】
【０００１】
本発明は、建具に関し、より詳細には、引違い窓等の建具に関するものである。
【背景技術】
【０００２】
従来、引違い窓のような開口枠に対して面材である障子を開閉可能に支持させた建具においては、その一部が躯体より室外側に張り出した状態で該躯体の開口縁部に取り付けられたものが知られている。このような建具においては、開口枠を構成する下枠が垂れ下がることを防止するために、複数のブラケット部材が該下枠の長手方向に沿って所定間隔毎に設けられている。
【０００３】
各ブラケット部材は、例えば板金等を屈曲させて構成されるものであり、開口枠の見込み方向に沿って延在する水平延在部と、この水平延在部の一端部より下方に向けて延在する垂下延在部とを有している。
【０００４】
このようなブラケット部材は、水平延在部が例えばネジ等の取付部材を用いて下枠に取り付けられて固定されるとともに、垂下延在部が例えばネジ等の取付部材を用いて躯体に設けられた外壁に取り付けられて固定されている（例えば、特許文献１参照）。
【先行技術文献】
【特許文献】
【０００５】
【特許文献１】特許第２７４７３９９号公報
【発明の概要】
【発明が解決しようとする課題】
【０００６】
ところで、上述した特許文献１に提案されている建具では、例えば火災等のように極めて高い温度で加熱されると外壁が脆くなってしまい、これによりネジ等の取付部材を用いて外壁に取り付けられていたブラケット部材が開口枠を支持することが困難となってしまう。この結果、下枠が室外側に向けて変形して障子等の面材が落下してしまい、防火性が劣るという問題があった。
【０００７】
また上記建具においては、ブラケット部材の垂下延在部がネジ等の取付部材を用いて外壁に取り付けられているので、外壁に形成された孔には漏水対策としてシーリング材が充填されている。しかしながら、例えば火災等のように極めて高い温度で加熱されると、シーリング材が溶融してしまうことで、該孔を通じて火炎等が侵入してしまい防火性が劣るという問題もあった。
【０００８】
本発明は、上記実情に鑑みて、防火性を良好なものとすることができる建具を提供することを目的とする。
【課題を解決するための手段】
【０００９】
上記目的を達成するために、本発明に係る建具は、開口枠と、前記開口枠の見込み方向に沿って延在し、該開口枠を構成する下枠に当接する第１支持片と、前記第１支持片より下方に向けて延在し、前記開口枠の下方の外壁の室外側に位置する第２支持片とを有するブラケット部材とを備えた建具において、前記第２支持片と前記外壁との間に加熱されることにより膨張する熱膨張性部材を備えたことを特徴とする。
【００１０】
この発明によれば、開口枠の開口が閉塞される場合において例えば火災等のように極めて高い温度で加熱されると、熱膨張性部材が膨張することにより、外壁の熱膨張性部材に覆われる部分は延焼されず、結果的に外壁の強度が低下することを抑制できる。しかも、熱膨張性部材の膨張により、ブラケット部材は、開口枠の下枠を上方に向けて押圧し、これにより、該下枠が室外側に変形してしまうことを抑制でき、開口枠に支持される面材が該開口枠から外れてしまうことを回避できる。更に、ブラケット部材は、第１支持片が下枠に当接しているだけなので、外壁には第２支持片を取り付けるための孔等が形成されていない。そのため、火炎等が孔等を通じて侵入する虞れもない。
【００１１】
また本発明は、上記建具において、前記熱膨張性部材は、前記第２支持片に設けられており、前記ブラケット部材は、前記第１支持片が取付部材によって前記下枠に取り付けられ、前記第２支持片が前記熱膨張性部材を介して前記外壁に接していることを特徴とする。
【００１２】
この発明によれば、ブラケット部材は、第１支持片が下枠に取付部材によって取り付けられているだけなので、外壁には第２支持片を取り付けるための孔等が形成されていない。そのため、火炎等が孔等を通じて侵入する虞れもない。
【００１３】
また本発明は、上記建具において、前記熱膨張性部材は、前記第２支持片の下方部と前記外壁との間に介在する第１熱膨張性部材の膨張率が前記第２支持片の上方部と前記外壁との間に介在する第２熱膨張性部材の膨張率よりも大きいことを特徴とする。
【００１４】
この発明によれば、例えば火災等のように極めて高い温度で加熱される場合に、第１熱膨張性部材の膨張率が第２熱膨張性部材の膨張率よりも大きいので、開口枠の下枠を上方に向けて押圧する力を大きくすることができる。
【００１５】
また本発明は、上記建具において、前記ブラケット部材の第２支持片は、前記熱膨張性部材の下端面に対向する下端ヒレ部と、前記熱膨張性部材における前記下枠の長手方向に沿った両端面に対向する両端ヒレ部とを有していることを特徴とする。
【００１６】
この発明によれば、第２支持片の下端ヒレ部及び両端ヒレ部と、下枠とで熱膨張性部材を囲むことができる。これにより、例えば火災等のように極めて高い温度で加熱される場合に、熱膨張性部材の膨張方向が、開口枠の見込み方向に沿った方向に規制される。つまり、熱膨張性部材は、下枠の長手方向や見付け方向に膨張することが規制される。この結果、開口枠の下枠を上方に向けて押圧する力を大きくすることができる。
【発明の効果】
【００１７】
本発明によれば、外壁の強度が低下することを抑制するとともに、開口枠に支持される面材が該開口枠から外れてしまうことを回避でき、しかも火炎等が侵入する孔等を外壁に形成していないので、例えば火災等のように極めて高い温度で加熱されても開口枠の開口の閉塞を維持して防火性を良好なものとすることができるという効果を奏する。
【図面の簡単な説明】
【００１８】
【図１】図１は、本発明の実施の形態である建具の縦断面図である。
【図２】図２は、本発明の実施の形態である建具の横断面図である。
【図３】図３は、本発明の実施の形態である建具の要部を拡大して示す拡大縦断面図である。
【図４】図４は、本発明の実施の形態である建具の変形例の要部を拡大して示す拡大縦断面図である。
【図５】図５は、本発明の実施の形態である建具の他の変形例の要部を拡大して示す縦断面図である。
【図６】図６は、本発明の実施の形態である建具の他の変形例の要部の斜視図である。
【発明を実施するための形態】
【００１９】
以下に添付図面を参照して、本発明に係る建具の好適な実施の形態について詳細に説明する。
【００２０】
図１及び図２は、それぞれ本発明の実施の形態である建具を示すものであり、図１は縦断面図であり、図２は横断面図である。
【００２１】
ここで例示する建具は、開口枠１０に左右２枚の障子（面材）２０，３０を備え、開口枠１０に対して２枚の障子２０，３０を左右方向に開閉移動させる、いわゆる引違い窓と称されるものである。また、かかる建具では、室外側に配置した障子２０の更に室外側となる部位に網戸４０を備えているとともに、ブラケット部材５０が設けられている。
【００２２】
開口枠１０は、上枠１１、下枠１２及び左右一対の縦枠１３，１４を四周枠組みすることによって構成されており、矩形開口１５を形成するものである。上枠１１は、例えばアルミニウム等の金属製の押出形材である室外側上枠部１１１と、例えばアルミニウム等の金属製の押出形材である室内側上枠部１１２とが断熱部材を介して連結され、更に樹脂製の押出形材である樹脂上枠部１１３が室内側上枠部１１２に係合して構成されている。このような上枠１１には、下方に向けて突出する複数（図示の例では３つ）の上レール１１４ａ，１１４ｂ，１１４ｃが該上枠１１の長手方向の全長に亘って形成されており、室外側から網戸用上レール１１４ａ、外障子用上レール１１４ｂ及び内障子用上レール１１４ｃが形成されている。
【００２３】
下枠１２は、例えばアルミニウム等の金属製の押出形材である室外側下枠部１２１と、例えばアルミニウム等の金属製の押出形材である室内側下枠部１２２とが断熱部材を介して連結されて構成されている。このような下枠１２には、上方に向けて突出する複数（図示の例では３つ）の下レール１２３ａ，１２３ｂ，１２３ｃが該下枠１２の長手方向の全長に亘って形成されており、室外側から網戸用下レール１２３ａ、外障子用下レール１２３ｂ及び内障子用下レール１２３ｃが形成されている。
【００２４】
左右一対の縦枠１３，１４は、例えばアルミニウム等の金属製の押出形材である室外側縦枠部１３１，１４１と、例えば樹脂製の押出形材である室内側縦枠部１３２，１４２とが互いに係合して構成されている。
【００２５】
このような開口枠１０は、上枠１１、下枠１２及び左右一対の縦枠１３，１４のそれぞれを建物の壁等の躯体１に形成された躯体開口２に対してその開口縁部に沿うよう取り付けられている。
【００２６】
室外側の障子（以下、外障子ともいう）２０は、上框２１、下框２２及び左右一対の縦框２３，２４を四周框組みすることによって構成された框体の内部にガラス板２５が保持されたものであり、開口枠１０の内部に装着可能な大きさに構成されている。
【００２７】
上框２１は、例えばアルミニウム等の金属製の押出形材である室外側上框部２１１と、樹脂製の押出形材である室内側上框部２１２とが互いに係合して構成されている。下框２２は、例えばアルミニウム等の金属製の押出形材である室外側下框部２２１と、樹脂製の押出形材である室内側下框部２２２とが互いに係合して構成されている。この下框２２の内部には、該下框２２の見込み方向に沿って延在する図示せぬ軸部の中心軸回りに回転可能な樹脂製の戸車２６が設けられている。
【００２８】
左右一対の縦框２３，２４のうち左方の縦框（以下、左縦框ともいう）２３は、例えばアルミニウム等の金属製の押出形材である室外側左縦框部２３１と、樹脂製の押出形材である室内側左縦框部２３２とが互いに係合して構成されている。一方、右方の縦框（以下、右縦框２４ともいう）は、例えばアルミニウム等の金属製の押出形材により構成されている。
【００２９】
このような外障子２０は、上框２１に形成された上溝部２７に外障子用上レール１１４ｂが相対的に進入するとともに、戸車２６が外障子用下レール１２３ｂに案内されることで左右方向に沿って開閉移動可能である。
【００３０】
室内側の障子（以下、内障子ともいう）３０は、上框３１、下框３２及び左右一対の縦框３３，３４を四周框組みすることによって構成された框体の内部にガラス板３５が保持されたものであり、開口枠１０の内部に装着可能な大きさに構成されている。
【００３１】
上框３１は、例えばアルミニウム等の金属製の押出形材である室外側上框部３１１と、樹脂製の押出形材である室内側上框部３１２とが互いに係合して構成されている。下框３２は、例えばアルミニウム等の金属製の押出形材である室外側下框部３２１と、樹脂製の押出形材である室内側下框部３２２とが互いに係合して構成されている。この下框３２の内部には、該下框３２の見込み方向に沿って延在する図示せぬ軸部の中心軸回りに回転可能な樹脂製の戸車３６が設けられている。
【００３２】
左右一対の縦框３３，３４のうち右方の縦框（以下、右縦框ともいう）３３は、例えばアルミニウム等の金属製の押出形材である室外側右縦框部３３１と、樹脂製の押出形材である室内側右縦框部３３２とが互いに係合して構成されている。また、左方の縦框（以下、左縦框３４ともいう）は、例えばアルミニウム等の金属製の押出形材である室外側左縦框部３４１と、樹脂製の押出形材である室内側左縦框部３４２とが互いに係合して構成されている。
【００３３】
このような内障子３０は、上框３１に形成された上溝部３７に内障子用上レール１１４ｃが相対的に進入するとともに、戸車３６が内障子用下レール１２３ｃに案内されることで左右方向に沿って開閉移動可能である。
【００３４】
そして、このように左右方向に沿って開閉移動可能な内障子３０と上記外障子２０とにおいては、外障子２０の左縦框２３が左側の縦枠（以下、左縦枠ともいう）１３に当接し、内障子３０の右縦框３３が右側の縦枠（以下、右縦枠ともいう）１４に当接した場合に、外障子２０の右縦框２４に形成された係止片２４１ａと内障子３０の左縦框３４に形成された係止片３４１ａとが互いに係合して矩形開口１５を閉塞している。このような外障子２０及び内障子３０では、左縦框２３と右縦框３３とが戸先框となり、右縦框２４と左縦框３４とが召合せ框となる。
【００３５】
ブラケット部材５０は、複数あり、下枠１２の長手方向に沿って所定間隔毎に設けられている。尚、これらブラケット部材５０は、それぞれが同一の構成を有しているので、以下においては１つのブラケット部材５０について説明し、他のブラケット部材５０の説明については割愛する。
【００３６】
ブラケット部材５０は、例えばアルミニウム、ステンレス、鉄等の板材を屈曲して構成されたもので、図３に示すように、第１支持片５１と第２支持片５２とを有している。
【００３７】
第１支持片５１は、開口枠１０の見込み方向に沿って延在する部位である。この第１支持片５１には、貫通孔５１１が形成されており、かかる貫通孔５１１を下方から貫通するネジ等の取付部材６０が下枠１２に螺合することで下枠１２に取り付けられている。
【００３８】
第２支持片５２は、第１支持片５１の室内側端部より下方に向けて延在する部位である。この第２支持片５２は、開口枠１０の下方の外壁３の室外側に位置しており、室内側面５２１が外壁３に対向可能である。
【００３９】
このような第２支持片５２の室内側面５２１の全域には熱膨張性部材７０が貼付されている。熱膨張性部材７０は、例えば発泡黒鉛等の熱膨張性材料から形成された板状体であり、加熱されることにより膨張するものである。この熱膨張性部材７０の第２支持片５２に貼付される面と反対側の面は外壁３に接している。
【００４０】
つまり、ブラケット部材５０は、第１支持片５１が取付部材６０を介して下枠１２に取り付けられ、かつ第２支持片５２が熱膨張性部材７０を介して外壁３に接して固定されている。
【００４１】
以上のような構成を有する建具においては、外障子２０及び内障子３０が矩形開口１５を閉塞する場合において、例えば火災等のように極めて高い温度で加熱されると、開口枠１０や障子２０，３０を構成する部材のうち、樹脂製の部材が溶融してしまうとともに熱膨張性部材７０が膨張することとなる。
【００４２】
このように熱膨張性部材７０が膨張することにより、外壁３の熱膨張性部材７０に覆われる部分は延焼されず、結果的に外壁３の強度が低下することを抑制できる。しかも、熱膨張性部材７０の膨張により、ブラケット部材５０は、図３の矢印で示すように開口枠１０の下枠１２を上方に向けて押圧し、これにより、該下枠１２が室外側に変形してしまうことを抑制でき、障子２０，３０が開口枠１０から外れてしまうことを回避できる。更に、ブラケット部材５０は、取付部材６０を介して第１支持片５１が下枠１２に取り付けられているが第２支持片５２が熱膨張性部材７０を介して外壁３に接しているだけなので、外壁３には第２支持片５２を取り付けるための孔等が形成されていない。そのため、火炎等が孔等を通じて侵入する虞れもない。
【００４３】
以上説明したように、上記建具によれば、外壁３の強度が低下することを抑制するとともに、障子２０，３０が開口枠１０から外れてしまうことを回避でき、しかも火炎等が侵入する孔等を外壁３に形成していないので、例えば火災等のように極めて高い温度で加熱されても開口枠１０の矩形開口１５の閉塞を維持して防火性を良好なものとすることができる。
【００４４】
図４は、本発明の実施の形態である建具の変形例の要部を拡大して示す拡大縦断面図である。尚、上述した実施の形態である建具と同一の構成を有するものには同一の符号を付して重複した説明を割愛する。
【００４５】
この図４に示すように、第２支持片５２の室内側面５２１の全域に貼付される熱膨張性部材７１は、第２支持片５２の下方部と外壁３との間に介在する下部（第１熱膨張性部材）７１１と、第２支持片５２の上方部と外壁３との間に介在する上部（第２熱膨張性部材）７１２とが連続して構成されるもので、下部７１１の膨張率（発泡率）が上部７１２の膨張率（発泡率）よりも大きいものである。
【００４６】
このような構成によれば、例えば火災等のように極めて高い温度で加熱される場合に、熱膨張性部材７１の下部７１１の膨張率が上部７１２の膨張率よりも大きいので、図４の矢印で示すような開口枠１０の下枠１２を上方に向けて押圧する力を大きくすることができる。従って、上記実施の形態である建具と同様に、防火性を良好なものとすることができる。
【００４７】
図５及び図６は、それぞれ本発明の実施の形態である建具の他の変形例の要部を示すものであり、図５は要部を拡大して示す縦断面図であり、図６は要部の斜視図である。尚、上述した実施の形態である建具と同一の構成を有するものには同一の符号を付して重複した説明を割愛する。
【００４８】
これら図５及び図６に示すように、ブラケット部材５０ａは、第１支持片５１と第２支持片５３とを有している。第２支持片５３は、第１支持片５１の室内側端部より下方に向けて延在する部位である。この第２支持片５３は、開口枠１０の下方の外壁３の室外側に位置しており、外壁３に対向可能な室内側面５３１の全域に熱膨張性部材７０が貼付されている。
【００４９】
そして、第２支持片５３は、下端ヒレ部５３ａ及び両端ヒレ部５３ｂを有している。下端ヒレ部５３ａは、第２支持片５３の下端部を外壁３に向けて屈曲させることで形成されたもので、熱膨張性部材７０の下端面に対向するものである。両端ヒレ部５３ｂは、左右一対のものであり、下端ヒレ部５３ａの左右両端部、すなわち下枠１２の長手方向に沿った両端部を上方に向けて屈曲させることで形成されたもので、熱膨張性部材７０の左右両端面（下枠１２の長手方向に沿った両端面）に対向するものである。
【００５０】
このような構成によれば、第２支持片５３の下端ヒレ部５３ａ及び両端ヒレ部５３ｂと、下枠１２とに熱膨張性部材７０が囲まれるので、例えば火災等のように極めて高い温度で加熱される場合に、熱膨張性部材７０の膨張方向が、開口枠１０の見込み方向に沿った方向に規制される。つまり、熱膨張性部材７０は、上下左右の方向に膨張することが規制される。この結果、図５の矢印で示すような開口枠１０の下枠１２を上方に向けて押圧する力を大きくすることができる。従って、上記実施の形態である建具と同様に、防火性を良好なものとすることができる。
【００５１】
以上、本発明の好適な実施の形態及びその変形例について説明したが、本発明はこれらに限定されるものではなく、種々の変更を行うことができる。
【００５２】
上述した実施の形態や変形例では、ブラケット部材５０，５０ａの第２支持片５２，５３が第１支持片５１の室内側端部より下方に向けて延在するものであったが、本発明においては、第２支持片は、下方に向かうに連れて漸次室外側に傾斜するよう延在するものであってもよい。
【００５３】
このような構成によれば、第２支持片と外壁との間に介在する熱膨張性部材は、下方に向かうほど開口枠の見込み方向に沿った厚みが大きくなる。そのため、例えば火災等のように極めて高い温度で加熱される場合に、膨張することにより開口枠の下枠を上方に向けて押圧する力を大きくすることができ、これにより防火性を良好なものとすることができる。
【００５４】
上述した実施の形態や変形例では、熱膨張性部材７０，７１は第２支持片５２，５３の室内側面５２１，５３１の全域に貼付されていたが、本発明においては、熱膨張性部材は、第２支持片と外壁との間に介在していれば、第２支持片に貼付されていなくてもよい。つまり、熱膨張性部材は、第２支持片と外壁とに挟持されていてもよい。
【００５５】
上述した実施の形態や変形例では、ブラケット部材５０，５０ａは、第１支持片５１がネジ等の取付部材６０を介して下枠１２に取り付けられていたが、本発明においては、第１支持片は下枠に当接しているだけでもよい。
【００５６】
上述した実施の形態や変形例では、いわゆる引違い窓を建具として例示したが、本発明においては、片引き窓、上げ下げ窓、内開き窓、嵌め殺し窓等の下枠の一部が躯体の外に突出したものに対しても適用することができる。
【符号の説明】
【００５７】
３  外壁
１０  開口枠
１２  下枠
１２１  室外側下枠部
１２２  室内側下枠部
２０  外障子
３０  内障子
４０  網戸
５０  ブラケット部材
５１  第１支持片
５１１  貫通孔
５２  第２支持片
５２１  室内側面
６０  取付部材
７０  熱膨張性部材
【図１】
0006463228.tif 000002
【図２】
0006463228.tif 000003
【図３】
0006463228.tif 000004
【図４】
0006463228.tif 000005
【図５】
0006463228.tif 000006
【図６】
0006463228.tif 000007